(57)【要約】【課題】本発明は、串の柄の形や太さを選ばず、手や口元を汚さず串食品を食せるとともに食品を串先にスライドさせ、食べやすくする串の食品スライドつまみ具に関するものである。  本発明は、串食品を容易に食すための串の食品スライドつまみ具を提供する。【解決手段】つまみ具の受け板の下部に筒断面の形状が、中心から外縁までの長さが一定でないように形成された筒形状の各腕部を設け、各腕部の先端に連結手段を設け、前記各腕部の後端部に各摘まみ部を設け、各摘まみ部の間に挟持体を設けたことを特徴とする串の食品スライドつまみ具。【選択図】図１
2013198710.tif 000002
【特許請求の範囲】
【請求項１】
つまみ具の受け板の下部に筒断面の形状が、中心から外縁までの長さが一定でないように形成された筒形状の各腕部を設け、各腕部の先端に連結手段を設け、前記各腕部の後端部に各摘まみ部を設け、各摘まみ部の間に挟持体を設けたことを特徴とする串の食品スライドつまみ具。
【請求項２】
前記連結手段は各腕部の先端に両側が嵌脱して嵌合する複数の円形状の凹凸が互い違いに形成されたことを特徴とする請求項１記載の串の食品スライドつまみ具。
【請求項３】
各腕部は内側に複数の円柱状の凸状部を設けたことを特徴とする請求項１又は請求項２記載の串の食品スライドつまみ具。
【請求項４】
各腕部は外側の中央に複数のひし形の凹状部を設けたことを特徴とする請求項１又は請求項３まで記載の串の食品スライドつまみ具。
【請求項５】
前記各腕部は長方形筒状であることを特徴とする請求項１又は請求項４まで記載の串の食品スライドつまみ具。
【請求項６】
本発明の串の食品スライドつまみ具は弾性体のシリコーンゴムで形成されたことを特徴とする請求項１又は請求項５まで記載の串の食品スライドつまみ具。
【発明の詳細な説明】
【技術分野】
【０００１】  本発明は、串の柄の形や太さを選ばず、手や口元を汚さず串食品を食せるとともに食品を串先にスライドさせ、食べやすくする串の食品スライドつまみ具に関するものである。
【背景技術】
【０００２】  従来、スーパーやコンビニや飲食店などの串揚げ類、焼とり類、串料理などの串食品は、串の柄に油分やタレが付着していることが多くみられ、そのまま手で串の柄をつまんで食すか、手が汚れないようにアルミハクやチリ紙又は、割りばしの包装紙などで串の柄に巻き付けて食していた。また、串食品を食していくうちに食品が串の手元側に近づくにつれ食べずらく手元側に残った食品は横から歯で引き抜いて食していた。【０００３】  なお、手や口を汚さず串食品を串先に移動させ食すことのできる手段があった（特許文献１、特許文献２、特許文献３参照）。【０００４】  一方、串抜き具の開閉手段として縦方向に二つ割りになっていて筒状部、片方の分割部にヒンジ部を有し、該ヒンジ部を支点に開閉可能となっていることを特徴とする串抜き具の前記のヒンジ部の取り付けにおいて筒状部の片方の分割部に外側から粘着テープなどを貼りつけた簡易なものや、例えば串を把持する手段として輪ゴムを利用したものや筒状部の分割部に互いに嵌合するように凹凸などのロック手段などや、また、弾圧手段として金属製のバネからなるワイヤをへの字状に曲げた手段があった（特許文献４参照）。
【先行技術文献】
【特許文献】
【０００５】
【特許文献１】  特許公開平７−２３１８５２号公報
【特許文献２】  実用新案登録第３０７０７８３号公報
【特許文献３】  特開平９−２２０１５１号公報
【特許文献４】  登録実用新案第３０１４４３７号公報
【発明の概要】
【発明が解決しようとする課題】
【０００６】  そのため、次のような問題点があった。
（イ）串の柄に油分やタレなどが付着している場合、直接手で持つと手が汚れて不快であった。また、串食品の手元側に残った食品を食すとき横から歯で引き抜いて食すと口元が汚れることがあるとともに食べ方が格好悪く見える。さらに食べ方によっては、串の先端で口内や喉を突くおそれもある。
（ロ）なお、特許文献１、特許文献２、特許文献３を使用する際、構造的に串の柄の下方向側からのみの挿入となり串の柄の向きによって挿入しずらい問題がある。
（ハ）また、特許文献１を使用する際、片方の手で食品が刺さった串を持ち、もう片方の手で中空軸つまみを持つ、と開示されているが串の柄に油分やタレ等が付着している場合には、手が汚れてしまう問題がある。
（ニ）さらに、特許文献２、及び、特許文献３は、丸形状の串柄以外の例えば長方形状などの串柄には対応できない問題がある。
（ホ）一方、特許文献４において二つ割りになっている筒状部の片方の分割部に外側から粘着テープなどを貼りつけた手段が開示されているが串食品の油分やタレ等が粘着テープに浸みて剥がれたり洗浄時毎に粘着力がおち剥がれてしまう問題があり、貼りかえなどの問題がある。
（ヘ）また、筒状部に輪ゴムなどを巻き付けてもよいと開示されているが輪ゴムの巻き付けが手間であり、輪ゴムを用意しなければならないという問題がある。
（ト）なお、筒状部の分割部に互いに嵌合するように凹凸などのロック手段を設けてもよいとあるものの、どのような具体的な技術手段をもって嵌合するかが明らかにされていない。
（チ）さらに、金属製のバネ材からなるワイヤをへの字状に曲げた弾圧手段やこの他、色々な弾圧手段の工夫がなされているが、しかしながら金属製の弾圧手段は、幾度かの洗浄で酸化してサビてしまう欠点があり不衛生である。
（リ）また、この発明はどの部位を持って串柄に挿入、又は取り外しをすればよいか等の操作性の問題点がある。
本発明は、これらの問題点を解決するためになされたものである。
【課題を解決するための手段】
【０００７】  つまみ具の受け板の下部に筒断面の形状が、中心から外縁までの長さが一定でないように形成された筒形状の各腕部を設け、各腕部の先端に連結手段を設け、前記各腕部の後端部に各摘まみ部を設け、各摘まみ部の間に挟持体を設けたことを特徴とする串の食品スライドつまみ具。
以上を特徴とする串の食品スライドつまみ具である。
【発明の効果】
【０００８】（イ）串の柄の形や太さを選ばず挟持することができ、つまみ具を片手で持って串食品を先端側にスライドさせてから食せるため手や口元を汚さず食せるとともに口内や喉を突くおそれがなく安全に食せ、また、格好よく食せる。
（ロ）なお、本つまみ具の先端は開閉可能で摘まみ部を片手でつまんで、つまみ具の先端が開いた状態で串柄へ簡易に挟持することができる。
（ハ）また、本つまみ具は、串の柄に手を触れることなく食すことができる。
（ニ）さらに、本つまみ具は、丸形状や長方形状や串の柄の太さを問わず串柄に挟持することが可能である。
（ホ）一方、本つまみ具は、一体形成されており、つなぎ目など隙間なく形成されている為、串食品の油分やタレ等で浸みたり剥がれたりすることなく使用することができる。さらに、製造コスト面でみた場合、特許文献４は、二つ割りなっているため二つの部材になるとともに、そこから粘着テープなどの貼り付けが必要になり高価になるが、本発明のつまみ具は、一体のみであり、それ以外の材料は必要がなく製造コストが安価にできる。
（ヘ）また、本つまみ具は、弾性体で形成されているため、輪ゴムを使うことなく串柄に挟持することが可能である。
（ト）なお、本つまみ具は、串柄を挟持するための連結手段が設けられている。
（チ）さらに、本つまみ具は、洗浄などでサビない材質で形成されているため、衛生的に使用できる。
（リ）また、本つまみ具は、摘まみ部を設けており、この摘まみ部を指でつまんだ状態で串柄に挿入、又は取り外しが容易にできる。
【図面の簡単な説明】
【０００９】
【図１】  本発明の斜視図である。
【図２】  本発明の断面図である。
【図３】  本発明の使用状態を示す斜視図である。
【図４】  本発明の底面を示す底面図である。
【図５】  本発明の開いた状態を示す斜視図である。
【図６】  本発明の縦割り部を示す斜視図である。
【図７】  本発明の連結手段を示す要部拡大図である。
【図８】  本発明の各腕部を示す要部拡大図である。
【図９】  本発明の凸状部を示す要部拡大図である。
【図１０】  本発明の凸状部を示す要部拡大図である。
【図１１】  本発明の凸状部を示す要部拡大図である。
【図１２】  本発明の挟持体を示す要部拡大図である。
【図１３】  本発明の挟持体を示す要部拡大図である。
【図１４】  本発明の受け板を示す要部拡大図である。
【図１５】  本発明の受け板を示す要部拡大図である。
【図１６】  本発明の実施例を示す斜視図である。
【図１７】  本発明の実施例を示す斜視図である。
【図１８】  本発明の実施例を示す斜視図である。
【図１９】  本発明の実施例を示す斜視図である。
【図２０】  本発明の実施例を示す要部拡大図である。
【図２１】  本発明の連結手段を示す要部拡大図である。
【図２２】  本発明の連結手段を示す要部拡大図である。
【図２３】  本発明の変形例を示す側面図
【図２４】  本発明の連結手段を示す要部拡大図である。
【図２５】  本発明の連結手段を示す要部拡大図である。
【図２６】  本発明の連結手段を示す要部拡大図である。
【図２７】  本発明の凸状部を示す断面図
【図２８】  本発明の凸状部を示す断面図
【図２９】  本発明の凸状部を示す断面図
【発明を実施するための形態】
【００１０】  以下、本発明の実施の形態について説明する。
（イ）二又状になったつまみ具の一端が欠けた円形十字状の受け板（１１）の下部に垂設して筒断面の形状が、中心から外縁までの長さが一定でないように形成された筒形状の各腕部（１２）を設ける。
（ロ）各腕部（１２）の先端の縦割り部（１８）の中央に両側が嵌脱して嵌合する凹凸が互い違いに形成され、両側が嵌脱して嵌合する凹凸の形状が円状の連結手段（１８）を複数設ける。
（ハ）前記、各腕部（１２）の内側の全面に円柱状の上端面がくぼんだ形状の凸状部（１４）を複数設け、各腕部（１２）の外側の中央にひし形の凹状部（１５）を複数設ける。
（ニ）前記、各腕部（１２）の後端部に回動する角丸状の各摘まみ部（１６）を設ける。
（ホ）摘まみ部（１６）の間に介設して弾性体からなる、くの字状の挟持体（１７）を設ける。
（ヘ）上記、各腕部（１２）の形状は長方形状であるつまみ具（１０）。
本発明は以上のような構成である。
これを使用するときは、２本の摘まみ部（１６）の両側を指でつまむことにより回動してつまみ具（１０）の先端が開く、この状態のままで横から又は串食品の置き方などによりどの方向からでもよく串の柄にはさんだあと連結手段（１３）が設けられた両外側を指ではさんで連結手段（１３）を嵌めることにより丸型や長方形など問わず串の柄が挟持される。挟持された状態で２枚の腕部（１２）を指で持ち串食品を食す、串食品の残りが少なくなり食べずらい状態になったときつまみ具（１０）の受け板（１１）側を下向きにして各腕部（１２）をしっかり持ち串先をお皿などの上に付け串食品を串先へスライドさせたのちつまみ具（１０）より突き出た串の柄を下向きして汚れていないお皿やテーブル等に串の柄を付けて元の串の柄の位置までつまみ具（１０）をもどす、従って食べやすくなった状態で食すことができる。
以下、本発明の各要部を詳しく説明をする。
【００１１】  各腕部（１２）の内側の全面に設けられた凸状部（１４）は串の柄を挟む挟持力とすべり止めの効果を向上させ、各腕部（１２）の外側の中央に設けられた凹状部（１５）は指がこの凹状部（１５）に引っかかるように馴染んで握りやすさとすべり止め効果を向上させている。
【００１２】  また、串の柄の形状が長方形である場合、挟持体（１７）が弾性体で形成されているため、この弾性で連結手段（１３）を嵌めなくても串の柄を挟持することも可能である。逆に串の柄が細めや丸型である場合は串の柄がぐらつきやすいため嵌めたほうがよい。
【００１３】  なお、挟持体（１７）は、くの字状に形成されているため各腕部（１２）を後方より指ではさんだとき、このくの字状が内側にすぼむため、より挟持しやすい形状に形成されている。
【００１４】  また、受け板（１１）は、串食品を食す際に不用意に串食品の油分やタレなどで手を汚さないための防護板としての効果もある。
【００１５】  なお、各摘まみ部（１６）は、角丸形状に形成されているため指に馴染みやすく摘まみやすく形成されている。
【００１６】  さらに、各摘まみ部（１６）をつまむときは、親指と人差し指と中指で中央部分の両側をつまむと各腕部（１２）の先端が最も開きやすいが、各摘まみ部（１６）のどのカ所でもつまみやすいよう長く形成されている。
【００１７】  また、本発明の串の食品スライドつまみ具は、弾性体のシリコーンゴムで形成されているが他の材質でもよく例えば、合成樹脂や将来、弾性体からなる新しい材質が開発されたときのその新材質でもよく他のゴム類でもよい。
以下、図面に基づいて本発明の実施例を説明する。
【００１８】  図１〜図５は、本発明のもっとも有力な実施例である。
【００１９】  図６は、本発明の連結手段（１３）を変えて縦割り部（１８）を設けた実施例であり、この場合は、弾性体からなる挟持体（１７）のみの弾性で串の柄を挟持するよう形成されている。
【００２０】  図７は、連結手段（１３）が嵌脱して嵌合する凹凸が楕円形状になっている実施例である。
【００２１】  図８は、指でつまみ易いように長方形状の各腕部（１２）の先端側の両角に角度をつけた実施例である。
【００２２】  図９〜図１１は、各腕部（１２）の内側の全面の凸状部（１４）を示した実施例であり、図９は、長円形状の凸状部（１４）を複数設けた実施例で、図１０は、山型状の段が交互になっている凸状部（１４）を複数設けた実施例であり、図１１は、三角形の先端が下向きの段差を複数設けた実施例である。
【００２３】  図１２〜図１３は、挟持体（１７）を示した実施例であり、図１２は、一文字状の挟持体（１７）を示し、図１３は、Ｕ字状の挟持体（１７）を示した実施例である。
【００２４】  図１４〜図１５は、受け板（１１）を示した実施例であり、図１４は、円形状の受け板（１１）を示し、図１５は、楕円形状の受け板（１１）を示した実施例である。
【００２５】  図１６は、受け板（１１）と凹状部（１５）とが、ハート形状の実施例である。
【００２６】  図１７は、受け板（１１）と凹状部（１５）とが、さくら形状の実施例である。
【００２７】  図１８は、受け板（１１）と凹状部（１５）とが、キノコ形状の実施例であり、各腕部（１２）の上部から下部までの太さが一定でない丸形状又は楕円形状である。
【００２８】  図１９は、受け板（１１）と凹状部（１５）とが、四葉のクローバー形状の実施例である。なお、図１６〜図１９で示した各形状に限るものではなく他の植物でもよい例えば、バラやモミジの葉っぱ又は動物のイヌやネコやパンダやコアラなどでもよい。
【００２９】  図２０のように受け板（１１）の表面に文字や植物や果物や動物などの凹凸を設けてもよい。例えば、バラやチェリーやイチゴやイヌやネコやペンギンなどその他でもよい。
【００３０】  図２１は、連結手段（１３）が縦方向に嵌脱して嵌合する凹凸が円形状の実施例でである。
【００３１】  図２２は、連結手段（１３）の縦割り部（１８）の両側に磁石を複数、埋め込んだ実施例である。なお、この磁力により各腕部（１２）の先端の両側がくっつき又、各摘まみ部（１６）を指でつまめば先端が開くようになっている。
【００３２】  図２３は、各摘まみ部（１６）が短くなっている実施例である。
【００３３】  図２４は、連結手段（１３）が嵌脱して嵌合する凹凸が六角形状になっている実施例である。
【００３４】  図２５は、連結手段（１３）が嵌脱して嵌合する凹凸が台形状になっている実施例である。
【００３５】  図２６は、連結手段（１３）が嵌脱して嵌合する凹凸が縦方向にＳ字になっている実施例である。
【００３６】  図２７〜図２９は、図１と図２と図４で示す凸状部（１４）の円柱状の上端面がくぼんだ形状の断面図であり、図２７は、円の外縁がピン角で円の中心方向へくぼんでいる。図２８は、円の外縁に平行面を残し中心方向へくぼんでいる。図２９は、円の外縁が丸みを帯びて中心方向へくぼんでいる。なお、図２７、図２８、図２９の順に図１が示す凸状部（１４）の有力な実施例である。
【００３７】  図１と図６、又は、各実施例などの腕部（１２）の外縁は、指でつまみ易いように各コーナーの角が丸みを帯びている。
【００３８】  また、図１と図６、又は、各実施例などの腕部（１２）の外側の凹状部（１５）以外の表面に指がすべりにくいようにひも状の凹凸やザラザラな面を設けてもよい。
【００３９】  さらに、図１の腕部（１２）は長方形状だが他形状でもよく例えば楕円形状でもよい。
【００４０】  図１〜図６が示す受け板（１１）は、転がりにくいように十字形状になっており、腕部（１２）も転がりにくいように長方形状で形成されている。
【００４１】  また、図１の受け板（１１）は円形十字状になっているが他でもよく、例えば正方形十字状でもよい。
【００４２】  図１と図６、及び、図１６〜図１９などの実施例は、使用しない時などは、お店やお部屋のインテリアとして立てて飾り置きすることもできる。
【００４３】  図１、又は、各実施例で示すつまみ具（１０）は、各摘まみ部（１６）を下側にしてテーブルなどに置くことができ衛生的に保つことができる。
【符号の説明】
【００４４】  １０  つまみ具
１１  受け板
１２  腕部
１３  連結手段
１４  凸状部
１５  凹状部
１６  摘まみ部
１７  挟持体
１８  縦割り部
【図１】
2013198710.tif 000003
【図２】
2013198710.tif 000004
【図３】
2013198710.tif 000005
【図４】
2013198710.tif 000006
【図５】
2013198710.tif 000007
【図６】
2013198710.tif 000008
【図７】
2013198710.tif 000009
【図８】
2013198710.tif 000010
【図９】
2013198710.tif 000011
【図１０】
2013198710.tif 000012
【図１１】
2013198710.tif 000013
【図１２】
2013198710.tif 000014
【図１３】
2013198710.tif 000015
【図１４】
2013198710.tif 000016
【図１５】
2013198710.tif 000017
【図１６】
2013198710.tif 000018
【図１７】
2013198710.tif 000019
【図１８】
2013198710.tif 000020
【図１９】
2013198710.tif 000021
【図２０】
2013198710.tif 000022
【図２１】
2013198710.tif 000023
【図２２】
2013198710.tif 000024
【図２３】
2013198710.tif 000025
【図２４】
2013198710.tif 000026
【図２５】
2013198710.tif 000027
【図２６】
2013198710.tif 000028
【図２７】
2013198710.tif 000029
【図２８】
2013198710.tif 000030
【図２９】
2013198710.tif 000031